(57)【要約】【課題】本発明は、義足の膝継手の屈曲がスムーズに行える義足用カバー及び義足用カバーの製造方法を提供することを目的とするものである。【解決手段】上端４から下端５に向けて内径が順次小とされると共に、中心軸方向に沿って上端４から下端５まで延びる第１の切り目６が形成された第１の筒体３を有する大腿ソケット用カバー部２と、上端２２側が第１の筒体３の下端５側内に遊挿状に嵌め入れ可能とされ、かつ上端２２から略中央に向けて内径が順次小から大とされ、略中央から下端２３に向けて内径が順次大から小とされると共に、中心軸方向に沿って上端２２から下端２３まで延びる第２の切り目２５が形成された第２の筒体２１を有する膝関節及び下腿パイプ用カバー部２０とを備える。【選択図】図１
2014113299.tif 000002
【特許請求の範囲】
【請求項１】
上端から下端に向けて内径が順次小とされると共に、中心軸方向に沿って同上端から同下端まで延びる第１の切り目が形成された第１の筒体を有する大腿ソケット用カバー部と、
上端側が前記第１の筒体の下端側内に遊挿状に嵌め入れ可能とされ、かつ同上端から略中央に向けて内径が順次小から大とされ、同略中央から下端に向けて内径が順次大から小とされると共に、中心軸方向に沿って同上端から同下端まで延びる第２の切り目が形成された第２の筒体を有する膝関節及び下腿パイプ用カバー部とを備える
義足用カバー。
【請求項２】
前記第１の筒体及び第２の筒体が熱可塑性素材で形成された
請求項１に記載の義足用カバー。
【請求項３】
前記熱可塑性素材が、ポリエチレン材である
請求項２に記載の義足用カバー。
【請求項４】
前記大腿ソケット用カバー部は、前記第１の切り目を形成する前記第１の筒体の対向する縁部付近の領域を重ねた状態で接続可能とする第１の接続手段を有する
請求項１、請求項２または請求項３に記載の義足用カバー。
【請求項５】
前記膝関節及び下腿パイプ用カバー部は、前記第２の切り目を形成する前記第２の筒体の対向する縁部付近の領域を重ねた状態で接続可能とする第２の接続手段を有する
請求項１、請求項２、請求項３または請求項４に記載の義足用カバー。
【請求項６】
前記第１の筒体の内側面に、前記大腿ソケット用カバー部が装着される大腿ソケットに係着可能とされた係着手段を有する
請求項１、請求項２、請求項３、請求項４または請求項５に記載の義足用カバー。
【請求項７】
前記第１の筒体の下端に延設されると共に、前記膝関節及び下腿パイプ用カバー部の上端側の一部と重なる重ね片部を有する
請求項１、請求項２、請求項３、請求項４、請求項５または請求項６に記載の義足用カバー。
【請求項８】
前記第１の筒体の所定箇所に開口された穴部を有する
請求項１、請求項２、請求項３、請求項４、請求項５、請求項６または請求項７に記載の義足用カバー。
【請求項９】
前記大腿ソケット用カバー部の下端と、前記膝関節及び下腿パイプ用カバー部の上端を連結する着脱自在の連結帯部を備える
請求項１、請求項２、請求項３、請求項４、請求項５、請求項６、請求項７または請求項８に記載の義足用カバー。
【請求項１０】
大腿ソケットと係合可能とされ、中心軸方向に沿って上端から下端まで延びる切り目が形成された筒体を有する大腿ソケット用カバー部と、
膝関節及び下腿パイプと係合可能とされ、中心軸方向に沿って上端から下端まで延びる切り目が形成された筒体を有する膝関節及び下腿パイプ用カバー部とを備える
義足用カバー。
【請求項１１】
骨格構造の義足の大腿ソケットの外周を基準にして作成された大腿モデルの外周に沿って、加熱した熱可塑性樹脂板を押し当てて中心軸方向に沿って上端から下端まで延びる切り目が形成された筒状の大腿ソケット用カバー部を成形する工程と、
骨格構造の義足の膝関節及び下腿パイプの形状を基準にして作成された膝関節及び下腿パイプモデルの外周に沿って、加熱した熱可塑性樹脂板を押し当てて中心軸方向に沿って上端から下端まで延びる切り目が形成された筒状の膝関節及び下腿パイプ用カバー部を成形する工程とを備える
義足用カバーの製造方法。
【請求項１２】
骨格構造の義足の大腿ソケットの外周を基準にして大腿モデルを作成する工程と、
前記骨格構造の義足の膝関節及び下腿パイプの形状を基準にして膝関節及び下腿パイプモデルを作成する工程と、
前記大腿モデルの外周に沿って、加熱した熱可塑性樹脂板を押し当てて中心軸方向に沿って上端から下端まで延びる切り目が形成された筒状の大腿ソケット用カバー部を成形する工程と、
前記膝関節及び下腿パイプモデルの外周に沿って、加熱した熱可塑性樹脂板を押し当てて中心軸方向に沿って上端から下端まで延びる切り目が形成された筒状の膝関節及び下腿パイプ用カバー部を成形する工程とを備える
義足用カバーの製造方法。
【発明の詳細な説明】
【技術分野】
【０００１】
本発明は、義足用カバー及び義足用カバーの製造方法に関する。詳しくは、例えば、内骨格構造の義足に装着する義足用カバー及びこの義足用カバーの製造方法に係るものである。
【背景技術】
【０００２】
この種の義足用カバーとして、例えば特許文献１に記載されたものが知られている。
具体的には、図９に示すように、内部に骨格構造１０１を有し、その骨格構造１０１を覆う外装を備えた義足１０２において、外装の膝軸１０３を境にして上下に二分割する。
この二分割した膝上外装１０４と膝下外装１０５との境界部分の膝蓋骨側１０６に、上下方向に伸縮する弾性帯１０７と、この弾性帯１０７の内面側に膝蓋骨パット１０８とが取り付けられる。
【０００３】
また、特許文献２に記載された義足用カバーは、図１０に示すように、義足用カバーを、大腿ソケットに取り付けられる大腿モジュール１１０と、下腿パイプ１１１に取り付けられる下腿モジュール１１２と、下腿モジュール１１２に揺動可能に支持される膝蓋骨モジュール１１３とから構成される。
【先行技術文献】
【特許文献】
【０００４】
【特許文献１】実用新案登録第３１０３７８５号公報
【特許文献２】特開２００７−６８８５５号公報
【発明の開示】
【発明が解決しようとする課題】
【０００５】
しかしながら特許文献１に記載された義足用カバーでは、２分割した膝上外装と膝下外装との境界部分の膝蓋骨側に、上下方向に伸縮する弾性帯を取り付けることにより、膝の動きが重たく、遊脚期の膝継手の屈曲角が十分に得られない。
【０００６】
また、特許文献２に記載された義足用カバーでは、各モジュールの構造が複雑であり組立て取外しも簡単ではなく、アライメントの調整に時間を要する。更に、特許文献１及び特許文献２に、義足の回旋機能を付与するターンテーブルを採用することは難しい。
【０００７】
本発明は、以上の点に鑑みて創案されたものであって、義足の膝継手の屈曲がスムーズに行える義足用カバー及び義足用カバーの製造方法を提供することを目的とするものである。
【課題を解決するための手段】
【０００８】
上記の目的を達成するために、本発明に係る義足用カバーは、上端から下端に向けて内径が順次小とされると共に、中心軸方向に沿って同上端から同下端まで延びる第１の切り目が形成された第１の筒体を有する大腿ソケット用カバー部と、上端側が前記第１の筒体の下端側内に遊挿状に嵌め入れ可能とされ、かつ同上端から略中央に向けて内径が順次小から大とされ、同略中央から下端に向けて内径が順次大から小とされると共に、中心軸方向に沿って同上端から同下端まで延びる第２の切り目が形成された第２の筒体を有する膝関節及び下腿パイプ用カバー部とを備える。
【０００９】
ここで、大腿ソケット用カバー部の第１の筒体が、上端から下端に向けて内径が順次小とされたことによって、上端から下端に向けて外径が順次小とされた大腿ソケットの外周面に、密接状に装着することができる。
【００１０】
また、大腿ソケット用カバー部の第１の筒体に、中心軸方向に沿って上端から下端まで延びる第１の切り目が形成されたことによって、大腿ソケットへの着脱を容易に行うことが可能となる。
【００１１】
また、膝関節及び下腿パイプ用カバー部の第２の筒体が、上端側が第１の筒体の下端側内に遊挿状に嵌め入れ可能とされたことによって、義足の膝継手が第１の筒体の下端側と第２の筒体の上端側で分割状となることで膝継手の屈曲時に抵抗なくスムーズに屈曲を行うことが可能となる。
【００１２】
また、膝関節及び下腿パイプ用カバー部の第２の筒体が、上端から略中央に向けて内径が順次小から大とされ、略中央から下端に向けて内径が順次大から小とされたことによって、義足の膝継手及び下腿パイプの形状に合わせて取り付けることが可能となる。
【００１３】
また、膝関節及び下腿パイプ用カバー部の第２の筒体に、中心軸方向に沿って上端から下端まで延びる第２の切り目が形成されたことによって、膝継手及び下腿パイプへの着脱を容易に行うことが可能となる。
【００１４】
また、本発明に係る義足用カバーにおいて、第１の筒体及び第２の筒体が、熱可塑性素材で形成された場合には、大腿ソケット、膝継手及び下腿パイプの形状に合わせて容易に加工することが可能となる。
【００１５】
また、本発明に係る義足用カバーにおいて、熱可塑性素材が、ポリエチレン材である場合には、保型性、剛性及び弾力性に優れると共に、着色も自由に行うことが可能となる。
【００１６】
また、本発明に係る義足用カバーにおいて、大腿ソケット用カバー部が、第１の切り目を形成する第１の筒体の対向する縁部付近の領域を重ねた状態で接続可能とする第１の接続手段を有する場合には、大腿ソケットの外径に応じて第１の筒体の内径を調整することが可能となる。更に、第１の接続手段を、例えば、領域が接する面に互いに圧着可能な面状テープで構成することで重なる領域の着脱が容易に行えると共に、大腿ソケットの外周面に密接状に保持することが可能となる。
【００１７】
また、本発明に係る義足用カバーにおいて、膝関節及び下腿パイプ用カバー部が、第２の切り目を形成する第２の筒体の対向する縁部付近の領域を重ねた状態で接続可能とする第２の接続手段を有する場合には、膝継手の外径に応じて第２の筒体の内径を調整することが可能となる。更に、第２の接続手段を、例えば、領域が接する面に互いに圧着可能な面状テープで構成することで重なる領域の着脱が容易に行えると共に、膝継手の外周面に密接状に保持することが可能となる。
【００１８】
また、本発明に係る義足用カバーにおいて、第１の筒体の内側面に、大腿ソケット用カバー部が装着される大腿ソケットに係着可能とされた係着手段を有する場合には、歩行の際に第１の筒体を大腿ソケットの外周面から摺れることなく保持することが可能となる。
【００１９】
また、本発明に係る義足用カバーにおいて、第１の筒体の下端に延設されると共に、膝関節及び下腿パイプ用カバー部の上端側の一部と重なる重ね片部を有する場合には、膝継手が第１の筒体の重ね片部と第２の筒体の上端側で分割状となることで膝継手が防護されると共に、膝継手の屈曲時に抵抗なくスムーズに屈曲を行うことが可能となる。
【００２０】
また、本発明に係る義足用カバーにおいて、第１の筒体の所定箇所に開口された穴部を有する場合には、例えば大腿ソケットに設けられたターンテーブルのロック機構、あるいはインナーソケットのロック機構の操作を第１の筒体部を取り外すことなく行うことが可能となる。
【００２１】
また、本発明に係る義足用カバーにおいて、大腿ソケット用カバー部の下端と、膝関節及び下腿パイプ用カバー部の上端を連結する着脱自在の連結帯部を備える場合には、歩行の際に第１の筒体と第２の筒体との間隔を一定に保持することが可能となる。
【００２２】
また、上記の目的を達成するために、本発明に係る義足用カバーは、大腿ソケットと係合可能とされ、中心軸方向に沿って上端から下端まで延びる切り目が形成された筒体を有する大腿ソケット用カバー部と、膝関節及び下腿パイプと係合可能とされ、中心軸方向に沿って上端から下端まで延びる切り目が形成された筒体を有する膝関節及び下腿パイプ用カバー部とを備える。
【００２３】
ここで、大腿ソケット用カバー部の筒体が、大腿ソケットと係合可能とされ、かつ、大腿ソケット用カバー部の筒体に、中心軸方向に沿って上端から下端まで延びる切り目が形成されたことによって、義足の大腿ソケットの外周面に着脱自在に取り付けることが可能となる。
【００２４】
また、膝関節及び下腿パイプ用カバー部の筒体が、膝関節及び下腿パイプと係合可能とされ、かつ、膝関節及び下腿パイプ用カバー部の筒体に、中心軸方向に沿って上端から下端まで延びる切り目が形成されたことによって、義足の膝継手及び下腿パイプに着脱自在に取り付けることができると共に、大腿ソケット用カバー部と膝関節及び下腿パイプ用カバー部が分割状とされたことで膝継手の屈曲時に抵抗なくスムーズに屈曲を行うことが可能となる。
【００２５】
また、上記の目的を達成するために、本発明に係る義足用カバーの製造方法は、骨格構造の義足の大腿ソケットの外周を基準にして作成された大腿モデルの外周に沿って、加熱した熱可塑性樹脂板を押し当てて中心軸方向に沿って上端から下端まで延びる切り目が形成された筒状の大腿ソケット用カバー部を成形する工程と、骨格構造の義足の膝関節及び下腿パイプの形状を基準にして作成された膝関節及び下腿パイプモデルの外周に沿って、加熱した熱可塑性樹脂板を押し当てて中心軸方向に沿って上端から下端まで延びる切り目が形成された筒状の膝関節及び下腿パイプ用カバー部を成形する工程とを備える。
【００２６】
ここで、骨格構造の義足の大腿ソケットの外周を基準にして作成された大腿モデルの外周に沿って、加熱した熱可塑性樹脂板を押し当てて中心軸方向に沿って上端から下端まで延びる切り目が形成された筒状の大腿ソケット用カバー部を成形することによって、大腿モデルから大腿ソケット用カバー部を容易に取り外すことができるので製作時間の短縮が可能となる。
【００２７】
また、骨格構造の義足の膝関節及び下腿パイプの形状を基準にして作成された膝関節及び下腿パイプモデルの外周に沿って、加熱した熱可塑性樹脂板を押し当てて中心軸方向に沿って上端から下端まで延びる切り目が形成された筒状の膝関節及び下腿パイプ用カバー部を成形することによって、膝関節及び下腿パイプモデルから膝関節及び下腿パイプ用カバー部を容易に取り外すことができるので製作時間の短縮が可能となる。
【００２８】
更に、大腿ソケット用カバー部及び膝関節及び下腿パイプ用カバー部が分割状に製作されることで義足に装着した場合には、膝継手の屈曲時に抵抗なくスムーズに屈曲を行うことが可能となる。
【００２９】
また、上記の目的を達成するために、本発明に係る義足用カバーの製造方法は、骨格構造の義足の大腿ソケットの外周を基準にして大腿モデルを作成する工程と、前記骨格構造の義足の膝関節及び下腿パイプの形状を基準にして膝関節及び下腿パイプモデルを作成する工程と、前記大腿モデルの外周に沿って、加熱した熱可塑性樹脂板を押し当てて中心軸方向に沿って上端から下端まで延びる切り目が形成された筒状の大腿ソケット用カバー部を成形する工程と、前記膝関節及び下腿パイプモデルの外周に沿って、加熱した熱可塑性樹脂板を押し当てて中心軸方向に沿って上端から下端まで延びる切り目が形成された筒状の膝関節及び下腿パイプ用カバー部を成形する工程とを備える。
【００３０】
ここで、骨格構造の義足の大腿ソケットの外周を基準にして大腿モデルを作成することによって、大腿ソケットの形状に合わせた筒状の大腿ソケット用カバー部に成形することが可能となる。
【００３１】
また、骨格構造の義足の膝関節及び下腿パイプの形状を基準にして膝関節及び下腿パイプモデルを作成することによって、膝継手及び下腿パイプの形状に合わせた筒状の膝関節及び下腿パイプ用カバー部に成形することが可能となる。
【００３２】
また、大腿モデルの外周に沿って、加熱した熱可塑性樹脂板を押し当てて中心軸方向に沿って上端から下端まで延びる切り目が形成された筒状の大腿ソケット用カバー部を成形することによって、大腿モデルから大腿ソケット用カバー部を容易に取り外すことができるので製作時間の短縮が可能となる。
【００３３】
また、膝関節及び下腿パイプモデルの外周に沿って、加熱した熱可塑性樹脂板を押し当てて中心軸方向に沿って上端から下端まで延びる切り目が形成された筒状の膝関節及び下腿パイプ用カバー部を成形することによって、膝関節及び下腿パイプモデルから膝関節及び下腿パイプ用カバー部を容易に取り外すことができるので製作時間の短縮が可能となる。
【００３４】
更に、大腿ソケット用カバー部及び膝関節及び下腿パイプ用カバー部が分割状に製作されることで義足に装着した場合には、膝継手の屈曲時に抵抗なくスムーズに屈曲を行うことが可能となる。
【発明の効果】
【００３５】
本発明の義足用カバーによれば、義足の膝継手の屈曲がスムーズに行うことが可能となる。
また、義足用カバーの製造方法によれば、義足の膝継手の屈曲をスムーズに行うことができる義足用カバーを製造することができる。
【図面の簡単な説明】
【００３６】
【図１】本発明を適用した義足用カバーの一例を説明するための模式図である。
【図２】本発明を適用した義足用カバーにおける大腿ソケット用カバー部の一例を説明するための模式図である。
【図３】本発明を適用した義足用カバーにおける膝関節及び下腿パイプ用カバー部の一例を説明するための模式図である。
【図４】本発明を適用した義足用カバーを取り付ける骨格構造の義足の一例を説明するための模式図である。
【図５】本発明を適用した義足用カバーの取り付け状態の一例を説明するための模式図である。
【図６】本発明を適用した義足用カバーの旋回状態の一例を説明するための模式図である。
【図７】本発明を適用した義足用カバーの製造方法に使用される大腿モデルの成形方法の一例を説明するための模式図である。
【図８】本発明を適用した義足用カバーの製造方法に使用される膝関節及び下腿パイプモデルの成形方法の一例を説明するための模式図である。
【図９】従来の義足用カバーの一例を説明するための模式図である。
【図１０】従来の義足用カバーの他の例を説明するための模式図である。
【発明を実施するための形態】
【００３７】
以下、本発明の実施の形態を図面を参酌しながら詳述する。
【００３８】
＜第１の実施の形態＞
図１は本発明を適用した義足用カバーの一例を説明するための模式図である。
【００３９】
ここで示す義足用カバー１は、骨格構造の義足における大腿ソケット（図示せず。）に取り付けられる大腿ソケット用カバー部２と、膝関節及び下腿パイプ（図示せず。）に取り付けられる膝関節及び下腿パイプ用カバー部２０とから構成されている。
【００４０】
次に、図２（Ａ）は本発明を適用した義足用カバーにおける大腿ソケット用カバー部の一例を説明するための側面模式図、図２（Ｂ）は本発明を適用した義足用カバーにおける大腿ソケット用カバー部の一例を説明するための背面模式図、図２（Ｃ）は本発明を適用した義足用カバーにおける大腿ソケット用カバー部の一例を説明するための端面模式図である。
【００４１】
ここで、大腿ソケット用カバー部２は、ポリエチレン材の熱可塑性素材で形成された第１の筒体３から構成されている。
【００４２】
この第１の筒体３は、上端４から下端５に向けて内径が順次小とされると共に、中心軸方向に沿って上端４から下端５まで延びる第１の切り目６が形成されている。
【００４３】
また、第１の切り目６を形成する第１の筒体３の対向する縁部付近の領域（７、７Ａ）が、第１の筒体３の半径方向に順次配置されている。更に、領域（７、７Ａ）を重ねた状態で接続可能とされる第１の接続手段として領域（７、７Ａ）が接する面に互いに圧着可能な面状テープ（８、８Ａ）が取り付けられている。
【００４４】
また、大腿ソケット用カバー部２の領域（７、７Ａ）が重なる下部の外周面には、前記図１に示すように、連結帯部１１の一端側に取り付けられた面状テープ２８と互いに圧着可能な面状テープ９が取り付けられている。
【００４５】
また、第１の筒体３の上端４側の内周面に沿って大腿ソケット（図示せず。）に係着可能とされる係着手段として面状テープ１０が取り付けられている。
【００４６】
また、第１の筒体３の下端５の正面側に、半円形状に下方に延設された重ね片部１２が形成されている。
【００４７】
また、第１の筒体３の下側外周面には、ターンテーブルのロック機構（図示せず。）と同位置となる箇所に穴部１３が開口されている。更に、第１の筒体３の上側外周面には、インナーソケットのロック機構（図示せず。）と同位置となる箇所に穴部１３Ａが開口されている。
【００４８】
更に、図３（Ａ）は本発明を適用した義足用カバーにおける膝関節及び下腿パイプ用カバー部の一例を説明するための側面模式図、図３（Ｂ）は本発明を適用した義足用カバーにおける膝関節及び下腿パイプ用カバー部の一例を説明するための背面模式図、図３（Ｃ）は本発明を適用した義足用カバーにおける膝関節及び下腿パイプ用カバー部の一例を説明するための端面模式図である。
【００４９】
ここで示す膝関節及び下腿パイプ用カバー部２０は、ポリエチレン材の熱可塑性素材で形成された第２の筒体２１から構成されている。
【００５０】
この第２の筒体２１は、上端２２側が第１の筒体３の下端側に形成される重ね片部１２の裏面内に遊挿状に嵌め入れ可能な外径とされている。
【００５１】
ここで、第２の筒体２１の上端２２から略中央に向けて内径が順次小から大とされ、同略中央から下端２３に向けて内径が順次大から小とされると共に、上端２２から下端２３まで延びる第２の切り目２５が形成されている。
【００５２】
この第２の切り目２５を形成する第２の筒体２１の対向する縁部付近の領域（２６、２６Ａ）が、第２の筒体２１の半径方向に順次配置されている。更に、領域（２６、２６Ａ）を重ねた状態で接続可能とされる第２の接続手段として領域（２６、２６Ａ）が接する面に互いに圧着可能な面状テープ（２７、２７Ａ）が取り付けられている。
【００５３】
また、膝関節及び下腿パイプ用カバー部２０の領域（２６、２６Ａ）が重なる上部の外周面には、前記図１に示すように、連結帯部１１の他端側に取り付けられた面状テープ２８Ａと互いに圧着可能な面状テープ９Ａが取り付けられている。
【００５４】
以下、本発明を適用した義足用カバーの取り付け状態を示す。
【００５５】
図４は本発明を適用した義足用カバーを取り付ける骨格構造の義足の一例を説明するための模式図、図５は本発明を適用した義足用カバーの取り付け状態の一例を説明するための模式図である。
【００５６】
ここで示す義足３０は、大腿形状に形成された大腿ソケット３１の下端に、ターンテーブル３２を介して膝関節３３の一端が取り付けられている。この大腿ソケット３１の所定の箇所には、前記図２で示すように、大腿ソケット用カバー部２の第１の筒体３の上端４側の内周面に沿って取り付けられた面状テープ１０と係着可能な面状テープ１０Ａが周設されている。
【００５７】
また、膝関節３３の他端には下腿パイプ３４の上端が連結され、この下腿パイプ３４の下端には足部３５が取り付けられた構成とされている。
【００５８】
ここで、ターンテーブル３２によって膝関節３３を周方向に９０度回転させて膝関節３３から下腿パイプ３４を水平状に回転させることで胡坐を組むような形態とすることが可能となる。このような変換操作は、ターンテーブル３２に設けられるロック機構（図示せず。）のＯＮ、ＯＦＦで行われる。
【００５９】
このような構造の義足３０の大腿ソケット３１に対して大腿ソケット用カバー部２を取り付ける場合に、第１の筒体３の第１の切り目６を拡げて大腿ソケット３１の外周面に嵌め合せる。
【００６０】
ここで、第１の切り目６が大腿ソケット３１の背面側中心となるようにして大腿ソケット３１の外周面に取り付けられた面状テープ１０Ａに、第１の筒体３の上端４側の内周面に沿って取り付けられた面状テープ１０を重ねて係着させる。
【００６１】
更に、第１の切り目６の対向する領域（７、７Ａ）を重ねた状態で面状テープ（８、８Ａ）同士を係着させる。
【００６２】
次に、義足３０の膝関節３３から下腿パイプ３４に対して膝関節及び下腿パイプ用カバー部２０を取り付ける場合には、第２の筒体２１の第２の切り目２５を拡げて膝関節３３から下腿パイプ３４を嵌め入れる。
【００６３】
ここで、膝関節及び下腿パイプ用カバー部２０の下端２３は、義足３０の足部３５の甲の面に当接して足首を形成するような形態となる。
【００６４】
また、膝関節及び下腿パイプ用カバー部２０の上端２２は、義足３０の膝関節３３の外周面に嵌め合わせられるようにして取り付けられると共に、大腿ソケット用カバー部２の下方の重ね片部１２の裏面側となるように重ねられた形態となる。
【００６５】
更に、大腿ソケット用カバー部２の面状テープ９と膝関節及び下腿パイプ用カバー部２０の面状テープ９Ａを、連結帯部１１の両側端に設けられた面状テープ２８及び面状テープ２８Ａで係着する。
これにより、大腿ソケット用カバー部２と膝関節及び下腿パイプ用カバー部２０が連結帯部１１によって連結される。
【００６６】
このようにして義足３０に対して大腿ソケット用カバー部２及び膝関節及び下腿パイプ用カバー部２０を装着することで、大腿ソケット３１、ターンテーブル３２、膝関節３３及び下腿パイプ３４をポリエチレン材の熱可塑性素材でカバーすることが可能となる。
【００６７】
ここで、大腿ソケット用カバー部２の下端５側と膝関節及び下腿パイプ用カバー部２０の上端２２が分割されるために、歩行時の義足３０の動きに支障がないように自由に屈曲することが可能となる。
【００６８】
また、図６に示すように、ターンテーブル（図示せず。）によって膝関節３３及び下腿パイプ３４を回旋させた場合でも、大腿ソケット用カバー部２の下端側と膝関節及び下腿パイプ用カバー部２０の上端が分割されるために支障なく回旋させことが可能となる。
【００６９】
なお、本実施の形態では、第１の筒体及び第２の筒体は、熱可塑性素材で形成されるものであるが、可撓性を有し、かつ剛性及び保型性を有するものであれば、必ずしも熱可塑性素材で形成する必要性はない。
【００７０】
また、本実施の形態では、熱可塑性素材は、ポリエチレン材で形成されるものであるが、熱可塑性を有するものであれば、必ずしもポリエチレン材で形成する必要性はない。
【００７１】
また、本実施の形態では、大腿ソケット用カバー部は、第１の切り目を形成する第１の筒体の対向する縁部付近の領域を重ねた状態で接続可能とされた第１の接続手段を有するものであるが、必ずしも第１の筒体の対向する縁部付近の領域を重ねた状態で接続可能とする必要性はない。
【００７２】
しかし、第１の切り目を形成する第１の筒体の対向する縁部付近の領域を重ねることで大腿ソケットの外径に応じて第１の筒体の内径の調整が行えるという点において第１の筒体の対向する縁部付近の領域を重ねた状態で接続可能とすることが望ましい。
【００７３】
また、本実施の形態では、膝関節及び下腿パイプ用カバー部は、第２の切り目を形成する第２の筒体の対向する縁部付近の領域を重ねた状態で接続可能とされた第２の接続手段を有するものであるが、必ずしも第２の筒体の対向する縁部付近の領域を重ねた状態で接続可能とする必要性はない。
【００７４】
しかし、第２の切り目を形成する第２の筒体の対向する縁部付近の領域を重ねることで膝関節及び下腿パイプの外径に応じて第２の筒体の内径の調整が行えるという点において第２の筒体の対向する縁部付近の領域を重ねた状態で接続可能とすることが望ましい。
【００７５】
また、本実施の形態では、大腿ソケット用カバー部は、第１の筒体の内側面に、大腿ソケット用カバー部が装着される大腿ソケットに係着可能とされる係着手段を有するものであるが、第１の筒体が大腿ソケットに係着できる手段を有するものであれば、必ずしも第１の筒体の内側面に係着手段を設ける必要性はない。
【００７６】
また、本実施の形態では、大腿ソケット用カバー部は、第１の筒体の下端に延設される膝関節及び下腿パイプ用カバー部の上端側の一部と重なる重ね片部を有するものであるが、第２の筒体の上端側が第１の筒体の下端側内に遊挿状に嵌め入れ可能とされるものであれば、必ずしも重ね片部を形成する必要性はない。
【００７７】
また、本実施の形態では、大腿ソケット用カバー部は、第１の筒体の所定箇所に開口された穴部を有するものであるが、ターンテーブルのロック機構、あるいはインナーソケットのロック機構の調整が大腿ソケット用カバー部を外すことなく行うことができるものであれば、必ずしも穴部を設ける必要性はない。
【００７８】
また、本実施の形態では、大腿ソケット用カバー部の下端と、膝関節及び下腿パイプ用カバー部の上端に連結された着脱自在の連結帯部を備えるものであるが、第１の筒体の下端の重ね片部と膝関節及び下腿パイプ用カバー部の上端側とが重ねられるのを維持できるものであれば、必ずしも連結帯部を備える必要性はない。
【００７９】
以上の構成よりなる義足用カバーでは、第１の筒体及び第２の筒体がポリエチレン材等の熱可塑性樹脂で形成されることで、使用による劣化を最小限に抑えることができる。
【００８０】
また、可撓性を有することで義足への着脱が容易となり、アライメント調整なども効率的に行うことが可能となる。
【００８１】
また、第１の筒体及び第２の筒体に分割されることで、必要に応じて膝曲げを可能とするターンテーブルの組込みができ、かつ外見的にもスマートで着色も自由にでき歩行時に違和感の無い義足用カバーを実現することができる。
【００８２】
＜第２の実施の形態＞
図７（Ａ）は、本発明を適用した義足用カバーの製造方法に使用する大腿モデルの成形方法の一例を説明するための模式図、図７（Ｂ）は、本発明を適用した義足用カバーの製造方法に使用する大腿モデルによる大腿ソケット用カバー部の製作工程を説明するための模式図である。
【００８３】
本発明を適用した大腿ソケット用カバー部の製造方法の一例（第２の実施の形態）では、先ず、例えば石膏を用いて前記図４に示すような、大腿ソケット３１、ターンテーブル３２及び膝関節３３の形状と寸法を計測する。このデータに基づいて、上端から下端に向けて外径が順次小とされる大腿モデル４０を作成する（図７（Ａ）参照）。
【００８４】
続いて、このようにして作成された大腿モデル４０の外周面に、加熱軟化したポリエチレン材の熱可塑性樹脂板４１を押し当て、熱可塑性樹脂板４１の両側端（４２、４２Ａ）の領域が重なるようにして巻回する（図７（Ｂ）参照）。
【００８５】
これにより、前記図２（Ａ）、図２（Ｂ）及び図２（Ｃ）に示すように、上端４から下端５に向けて内径が順次小とされると共に、下端５の正面側が半円形状に下方に延設された重ね片部１２が形成され、かつ中心軸方向に沿って上端４から同下端５まで延びる第１の切り目６が形成された第１の筒体２を作成することができる。
【００８６】
更に、第１の切り目６の対向する領域（７、７Ａ）が接する面に、互いに圧着可能な面状テープ（８、８Ａ）を取り付ける。
【００８７】
また、大腿ソケット用カバー部２の領域（７、７Ａ）が重なる下部の外周面には、前記図１に示すように、連結帯部１１の一端側に取り付けられる面状テープ２８と互いに圧着可能な面状テープ９を取り付ける。
【００８８】
また、第１の筒体３の上端４側の内周面に沿って大腿ソケット（図示せず。）に係着可能な面状テープ１０を取り付ける。
【００８９】
また、第１の筒体３の下側外周面には、ターンテーブルのロック機構（図示せず。）と同位置となる箇所に穴部１３及び、第１の筒体３の上側外周面には、インナーソケットのロック機構（図示せず。）と同位置となる箇所に穴部１３Ａを開口する。
【００９０】
次に、図８（Ａ）は、本発明を適用した義足用カバーの製造方法に使用する膝関節及び下腿パイプモデルの成形方法の一例を説明するための模式図、図８（Ｂ）は、本発明を適用した義足用カバーの製造方法に使用する膝関節及び下腿パイプモデルによる膝関節及び下腿パイプ用カバー部の製作工程を説明するための模式図である。
【００９１】
本発明を適用した膝関節及び下腿パイプ用カバー部の製造方法の一例（第２の実施の形態）では、先ず、例えば石膏を用いて前記図４に示すように、膝関節３３及び下腿パイプ３４の形状と寸法を計測する。このデータに基づいて、上端から略中央に向けて外径が順次小から大とされ、同略中央から下端に向けて外径が順次大から小とされる膝関節及び下腿パイプモデル４３を作成する（図８（Ａ）参照）。
【００９２】
続いて、このようにして作成された膝関節及び下腿パイプモデル４３の外周面に、加熱軟化したポリエチレン材の熱可塑性樹脂板４１Ａを押し当て、熱可塑性樹脂板４１Ａの両側端（４２、４２Ａ）の領域が重なるようにして巻回する（図８（Ｂ）参照）。
【００９３】
これにより、前記図３（Ａ）、図３（Ｂ）及び図３（Ｃ）に示すように、上端２２から略中央に向けて内径が順次小から大とされ、同略中央から下端２３に向けて内径が順次大から小とされると共に、上端２２から下端２３まで延びる第２の切り目２５が形成された第２の筒体２１を形成することができる。
【００９４】
更に、第２の切り目２５の対向する領域（２６、２６Ａ）が接する面に、互いに圧着可能な面状テープ（２７、２７Ａ）を取り付ける。
【００９５】
また、膝関節及び下腿パイプ用カバー部２０の領域（２６、２６Ａ）が重なる上部の外周面には、前記図１に示すように、連結帯部１１の一端側に取り付けられる面状テープ２８Ａと互いに圧着可能な面状テープ９Ａを取り付ける。
【００９６】
なお、熱可塑性樹脂を加熱整形する方法としては、本実施の形態で詳述した以外に、オーブンなどを使って熱可塑性樹脂板を加熱軟化させて手で大腿モデルや膝関節及び下腿パイプモデルに沿わせて成形することもできる。また、バキュームを使った吸引成形法によることも可能である。
【００９７】
以上の構成よりなる義足用カバーの製造方法では、義足カバーにおける第１の筒体及び第２の筒体を熱可塑性材料で製作することにより、大腿モデルや膝関節又は下腿パイプモデルから大腿ソケット用カバー部又は膝関節及び下腿パイプ用カバー部を取り外す作業が容易となる。
【００９８】
これにより、製作時間短縮が可能となり、作業効率が向上すると共に、部品が簡単で故障も少なく、着色が自由に行え、製品寿命の長い義足用カバーを安価に製造することができる。
【符号の説明】
【００９９】
１            義足用カバー
２            大腿ソケット用カバー部
３            第１の筒体
４            上端
５            下端
６            第１の切り目
７、７Ａ      領域
８、８Ａ      面状テープ
９、９Ａ      面状テープ
１０、１０Ａ  面状テープ
１１          連結帯部
１２          重ね片部
１３、１３Ａ  穴部
２０          膝関節及び下腿パイプ用カバー部
２１          第２の筒体
２２          上端
２３          下端
２５          第２の切り目
２６、２６Ａ  領域
２７、２７Ａ  面状テープ
２８、２８Ａ  面状テープ
３０          義足
３１          大腿ソケット
３２          ターンテーブル
３３          膝関節
３４          下腿パイプ
３５          足部
４０          大腿モデル
４１、４１Ａ  熱可塑性樹脂板
４２、４２Ａ  両側端
４３          膝関節及び下腿パイプモデル
【図１】
2014113299.tif 000003
【図２】
2014113299.tif 000004
【図３】
2014113299.tif 000005
【図４】
2014113299.tif 000006
【図５】
2014113299.tif 000007
【図６】
2014113299.tif 000008
【図７】
2014113299.tif 000009
【図８】
2014113299.tif 000010
【図９】
2014113299.tif 000011
【図１０】
2014113299.tif 000012